(57)【要約】【課題】躯体の立上がり壁の高さが低い場合においても十分な防水性能を有する防水構造および防水施工方法を提供することを目的とする。【解決手段】躯体に設けられた下地の水平壁と該水平壁から連続して立上がる立上がり壁とで形成される入隅の前記水平壁に接合される水平部と、前記立上がり壁に接合される立上がり部と、少なくとも前記立上がり部の接合状態を目視により確認可能な視認部とを備え、前記入隅に接合される防水片を用いる。【選択図】図１
2016223229.tif 000002
【特許請求の範囲】
【請求項１】
躯体に設けられた下地の水平壁と該水平壁から連続して立上がる立上がり壁とで形成される入隅の前記水平壁に接合される水平部と、前記立上がり壁に接合される立上がり部と、少なくとも前記立上がり部の接合状態を目視により確認可能な視認部とを備え、前記入隅に接合される防水片。
【請求項２】
前記視認部が貫通孔である請求項１に記載の防水片。
【請求項３】
前記視認部が透明または半透明の前記立上がり部である請求項１に記載の防水片。
【請求項４】
前記視認部が前記立上がり部の裏面の少なくとも端縁部に接着した粘着材である請求項１に記載の防水片。
【請求項５】
躯体に設けられた下地の水平壁と該水平壁から連続して立上がる立上がり壁とで形成される入隅に接合される請求項１に記載の防水片と前記防水片と前記入隅とを接合する接合剤とを備える前記入隅の防水構造。
【請求項６】
前記接合剤が前記視認部によって目視できることにより前記防水片の接合状態が確認できる請求項５に記載の防水構造。
【請求項７】
水平壁と該水平壁から連続して立上がる立上がり壁とで形成される入隅を有する下地における防水施工方法であって、前記水平壁に接合される水平部と、前記立上がり壁に接合される立上がり部と、少なくとも前記立上がり部の接合状態を目視により確認可能な視認部とを備えた防水片を接合剤を介して入隅に接合する接合工程と、前記防水片の前記視認部により少なくとも前記立上がり部と前記立上がり壁との接合状態を確認する確認工程とを備える施工方法。
【請求項８】
前記視認部が貫通孔であり、前記確認工程において前記貫通孔からの接合剤のはみ出しにより接合状態を確認する請求項７に記載の施工方法。
【請求項９】
前記視認部が透明または半透明の前記立上がり部であり、前記確認工程において前記防水片の上から視認できる接着剤の展延状態により接合状態を確認する請求項７に記載の施工方法。
【請求項１０】
前記視認部が前記立上がり部の裏面の少なくとも端縁部に接着した粘着材であり、前記確認工程において前記防水片の端部からの粘着材のはみ出しにより接合状態を確認する請求項７に記載の施工方法。
【発明の詳細な説明】
【技術分野】
【０００１】
本発明は例えばベランダ、バルコニー、陸屋根等における躯体の水平壁と立上がり壁との間の入隅部における防水構造および防水施工方法に関する。
【背景技術】
【０００２】
従来、ベランダ、バルコニー、陸屋根等における躯体を防水シートにより防水施工を行う場合、躯体のパラペット部分や室内への出入り口となるサッシ下など立上がり壁を有する部分においては、防水シートを水平壁から立上がり壁に沿って立ち上げ躯体に接着して防水シート端部をシーリングで固定する方法や、立上がり壁に合成樹脂被覆鋼板を取り付けてそれに防水シートを溶融着するという方法を用いている。
【０００３】
特許文献１には、ベランダの窓枠サッシ下の施工法としてベランダ床に敷設された防水シートを窓枠サッシの下方のモルタル壁に沿って立ち上げ、モルタル壁の外側面に形成された防水シート取付溝に防水シートの上端縁を挿入し、そのシート取付溝内にパテを充填して固定するサッシ下の外装施工法が開示されている。
【先行技術文献】
【特許文献】
【０００４】
【特許文献１】特開平６−２４８７７９号公報
【０００５】
一方で、ベランダやバルコニーと屋内との出入り口付近の段差を小さくし、出入り時の段差による転倒などの危険を低減した建物がある。
【発明の概要】
【発明が解決しようとする課題】
【０００６】
このような建物では躯体の立上がり壁の水平壁からの高さが非常に低いものであり、このような躯体に防水シートを施工する場合、前述したような方法では立上がり壁の高さが十分でないため作業しにくいといった問題がある。特に防水シートの改修作業においては、すでに設置されているサッシや水切りといった部材が障害となって作業が困難であった。そのため、防水施工を施しても立上がり壁の部分の防水性が不十分となる恐れがあった。通常、防水シートが十分に接合しているかどうか判断するため防水シート端部の小口に細い棒などをあてがい接合状態を確認するが、そのような確認作業も不可能である。
そこで、本発明は上記課題を解決するものであって、防水シートの施工作業が困難な立上がり壁を有する下地においても十分な防水性能を有する防水構造および防水施工方法を提供することを目的とする。
【課題を解決するための手段】
【０００７】
本発明の要旨は、水平部と該水平部から連続して立上がる立上がり部とからなり、その接合状態を確認するための視認部が設けられている防水片を用いることである。
【０００８】
具体的には、躯体に設けられた下地の水平壁と該水平壁から連続して立上がる立上がり壁とで形成される入隅の前記水平壁に接合される水平部と、前記立上がり壁に接合される立上がり部と、少なくとも前記立上がり部の接合状態を目視により確認可能な視認部とを備え、前記入隅に接合される防水片である。
また前記視認部が貫通孔であり、あるいは前記視認部が透明または半透明の前記立上がり部であり、あるいは前記視認部が前記立上がり部の裏面の少なくとも端縁部に接合した粘着材である。
【０００９】
また、躯体に設けられた下地の水平壁と該水平壁から連続して立上がる立上がり壁とで形成される入隅に接合される前記水平壁に接合される水平部と、前記立上がり壁に接合される立上がり部と、少なくとも前記立上がり部の接合状態を目視により確認可能な視認部とを備えた防水片と前記防水片と前記入隅とを接合する接合剤とを備える前記入隅の防水構造であり、さらに前記接合剤が前記視認部によって目視できることにより前記防水片の接合状態が確認できる防水構造である。
【００１０】
また、水平壁と該水平壁から連続して立上がる立上がり壁とで形成される入隅を有する下地における防水施工方法であって、前記水平壁に接合される水平部と、前記立上がり壁に接合される立上がり部と、少なくとも前記立上がり部の接合状態を目視により確認可能な視認部とを備えた防水片を接合剤を介して入隅に接合する接合工程と、前記防水片の前記視認部により少なくとも前記立上がり部と前記立上がり壁との接合状態を確認する確認工程とを備える施工方法である。
また前記視認部が貫通孔であって、前記確認工程において前記貫通孔からの接合剤のはみ出しにより接合状態を確認する施工方法であり、あるいは前記視認部が透明または半透明の前記立上がり部であって、前記確認工程において前記防水片の上から視認できる接着剤の展延状態により接合状態を確認する施工方法であり、あるいは前記視認部が前記立上がり部の裏面の少なくとも端縁部に接着した粘着材であって、前記確認工程において前記防水片の端部からの粘着材のはみ出しにより接合状態を確認する施工方法である。
【発明の効果】
【００１１】
本発明によれば、水平壁と該水平壁から連続して立上がる立上がり壁とで形成される入隅に防水片を取り付ける際に接合状態を目視により確認することができるため、たとえ立上がり壁の高さが低い場合においても接合が不十分となることなく十分な防水性能を得ることができる。
【図面の簡単な説明】
【００１２】
【図１】本発明の防水構造の断面図である。
【図２】本発明の防水片の例を示す部分斜視図である。
【図３】本発明のカバー材の例を示す部分斜視図である。
【図４】本発明の防水構造の断面図である。
【発明を実施するための形態】
【００１３】
以下、本発明の実施形態について図面を用いて説明する。
なお、本発明はこれら実施形態に限定されるものではない。
【００１４】
本発明の防水片は図２に示すような平板状の水平部１−１と同じく平板状の立上がり部１−２からなる、断面略Ｌ字形状の部材である。図１はベランダの出入り口であるサッシ下付近の床構造であり、本発明の防水片を用いた防水構造を示すものである。その概要は躯体である下地Ｇの水平壁Ｇ１と該水平壁Ｇ１から連続して立上がる立上がり壁Ｇ２とで形成される入隅Ｇ３に防水片１が接合剤２により接合されている。防水片１の水平部１−１が水平壁Ｇ１に接合され、防水片１の立上がり部１−２が立上がり壁Ｇ２に接合剤２により接合されている。ベランダ床面である水平壁Ｇ１には防水シート４が敷設され、防水片１の水平部１−１の上まで延設されて接着剤（図示せず）により接着固定されている。
【００１５】
防水片１は平板状の水平部１−１と同じく平板状の立上がり部１−２からなる、断面略Ｌ字形状の部材である。防水片１はその施工時に少なくとも立上がり部と下地との接合状態を目視により確認できる視認部３を備えている。
【００１６】
図２に防水片１の具体例を示す。防水片１ａ，１ｂは、防水片１に設けた貫通孔３ａを視認部３としたものである。防水片１ａは立上がり部１−２にのみ貫通孔３ａが設けられており、防水片１ｂは水平部１−１と立上がり部１−２の両方に貫通孔３ａが設けられている。貫通孔３ａの大きさや数は適宜設定することができるが、好ましくは孔の径が１ｍｍ〜１０ｍｍ程度で、穿孔率は１０％〜５０％程度である。また貫通孔３ａの形状は円形に限定されるものでなく、四角形や三角形など適宜選定することができる。貫通孔３ａを設ける位置は防水片１ａ，１ｂのように立上がり部１−２の全体、または水平部１−１と立上がり部１−２の全体に設けてもよく、立上がり部１−２の端縁部、または水平部１−１と立上がり部１−２の端縁部に設けてもよい。
【００１７】
防水片１ａまたは１ｂを施工する場合、下地Ｇに接着剤などの接合剤２を塗布したのちに防水片１ａまたは１ｂを水平壁Ｇ１と立上がり壁Ｇ２からなる入隅Ｇ３に合わせて圧着し、その際の貫通孔３ａからの接合剤２のはみ出し具合により接合状態を確認することが可能となる。つまり接合片１の下地Ｇへの圧着が不十分であると貫通孔３ａからの接合剤２のはみ出しがないか僅かであるが、十分に圧着され接合されると貫通孔３ａからの接合剤２のはみ出しが多くなるため、接合状態が判断できる。また貫通孔３ａ内に接合剤２が入り込むことでアンカー効果により接合強度が向上する。
【００１８】
図２の防水片１ｃ，１ｄは、透明または半透明の防水片１の透明本体部３ｂを視認部３としたものである。防水片１ｃは立上がり部１−２のみ透明本体部３ｂとしており、防水片１ｄは全体を透明本体部３ｂとしている。透明本体部３ｂの透明性については特に制限はないが、下地Ｇに重ねた際に下地Ｇの表面状態が視認できる程度が好ましい。防水片１ｃまたは１ｄを施工する場合、下地Ｇに接着剤などの接合剤２を塗布したのちに防水片１ｃまたは１ｄを水平壁Ｇ１と立上がり壁Ｇ２からなる入隅Ｇ３に合わせて圧着し、その際透明または半透明の防水片１ｃまたは１ｄの上から視認できる接合剤２の展延状態（塗れ拡がり）を見ることで接合状態を確認することが可能となる。
【００１９】
図２の防水片１ｅ，１ｆは防水片１の立上がり部１−２の裏面の少なくとも端縁部に接着した粘着材３ｃを視認部３としたものである。防水片１ｅは立上がり部１−２の裏面全面に粘着材３ｃが接着されており、防水片１ｆは立上がり部１−２の裏面の端縁部に粘着材３ｃが接着されている。ここで粘着材３ｃの接着位置であるが、立上がり部１−２の裏面の端部より内側に粘着材３ｃの端部が入るようにし、なおかつなるべく立上がり部１−２の裏面の端部付近に粘着材３ｃの端部があるように接着されていることが好ましい。なお、粘着材３ｃは立上がり部１−２の裏面だけでなく水平部１−１の裏面にも設けることができる。
防水片１ｅまたは１ｆを施工する場合、下地Ｇに接着剤などの接合剤２を入隅Ｇ３に塗布したのちに防水片１ｅまたは１ｆをその上から貼り付けてもよく、また粘着材３ｃを接合剤２としてそのまま入隅Ｇ３に貼り付けてもよい。防水片１ｅまたは１ｆを水平壁Ｇ１と立上がり壁Ｇ２からなる入隅Ｇ３に合わせて圧着し、その際防水片１の端部からの粘着材３ｃのはみ出し具合により接合状態を確認することが可能となる。
【００２０】
防水片１ｅまたは１ｆに用いられる粘着材３ｃは適度な弾力性を有するものが好ましく、各種固形シーリング材や粘着ゴムなどが好ましく用いられる。防水性の高さからブチルゴムが特に好ましく用いられる。
【００２１】
防水片１の材質は合成樹脂やゴムなど、可撓性を有するものが防水下地への密着性がよく好適である。ベランダ床面などの水平壁Ａ１を覆う防水シート４と同様の材質であると防水片１と防水シート４との接合部の接合性がよく好ましい。また防水片１の強度を向上するためにガラスクロスやポリエステルクロスなどの基材を積層することもできる。
【００２２】
図１の防水構造において、防水片１の立上がり部１−２の表面を覆うようにして配置されているのはカバー材５である。カバー材５は、防水片１の防水性、耐候性、防水シート４との接合性などを補填するために使用できる。例えば、図２の防水片１ａ、１ｂは視認部３として貫通孔３ａが設けられているため、貫通孔３ａを覆い塞ぐように防水片１ａまたは１ｂの表面をカバー材５で覆うようにして接着する。
【００２３】
図３にカバー材５の具体例を示す。カバー材５ａは平板に複数の突起ｐを形成したものであり、この突起ｐは図２の防水片１ａの貫通孔３ａに対応するように突設されている。カバー材５ａの突起ｐをそれぞれ貫通孔３ａに嵌合させるようにしてカバー材５ａを防水片１ａ上に接着固定することにより防水性が向上する。図３のカバー材５ｂは断面Ｌ字型の板状のカバー材５であり、Ｌ字の外面には同様の複数の突起ｐが突設されており、この突起ｐは図２の防水片１ｂの貫通孔３ａに対応している。カバー材５ｂの突起ｐをそれぞれ貫通孔３ａに嵌合させるようにしてカバー材５ｂを防水片１ｂ上に接着固定することにより防水性が向上する他、防水片１ｂの水平部１−１の表面がカバー材５ｂに覆われることで平滑になり、床面を覆う防水シート４との接合部において溶接、溶着がしやすくなる。
【００２４】
またカバー材５は、図３の５ｃ、５ｄのように突起ｐのない平板または断面Ｌ字型の板状体のものでもよい。カバー材５ｃ、５ｄは通常の防水シートのように顔料等により着色されており、隠蔽性が高いものである。カバー材５ｃを例えば防水片１ｃの透明本体部３ｂである立上がり部１−２の上に重ねて接着固定することにより耐候性が向上する。カバー材５ｄは全体を透明本体部３ｂとする防水片１ｄに好適に用いられる。これらカバー材５は図２の防水片１ｃ、１ｄに対応して使用できるだけでなく、防水片１ａ、１ｂにも対応する。
【００２５】
続いて防水構造について説明する。本発明の防水構造は、前述したような少なくとも立上がり部の接合状態を目視により確認可能な視認部を備えた防水片１が下地の水平壁と該水平壁から連続して立上がる立上がり壁とで形成される入隅に接合剤で接合されていることを特徴としており、さらに防水片１の入隅への接合工程において接合剤が防水片１の視認部から目視できることにより防水片１の接合状態が確認できるものである。
【００２６】
防水構造の具体例について図１、図４を用いて説明する。
図１はベランダ出入り口のサッシ下付近の床構造であり、本発明の防水片を用いた防水構造である。下地Ｇの立上がり壁Ｇ２の水平壁Ｇ１からの高さはおよそ１００ｍｍ程度である。下地Ｇの水平壁Ｇ１と該水平壁Ｇ１から連続して立上がる立上がり壁Ｇ２とで形成される入隅Ｇ３に図２の防水片１ａと同様の形状でありポリ塩化ビニル系樹脂で形成されている防水片１ａ´が接合剤２であるビニル系接着剤２ａにより接着されており、防水片１ａ´の水平部１−１が水平壁Ｇ１に接着され、防水片１ａ´の立上がり部１−２が立上がり壁Ｇ２に接着されている。ベランダ床面である水平壁Ｇ１にはポリ塩化ビニル系防水シート４ａが敷設され接着剤（図示せず）により固定されており、防水シート４ａの端縁部が防水片１ａ´の水平部１−１の上まで延設されて溶剤による液溶着により接合されている。
【００２７】
防水片１ａ´の立上がり部１−２に重ねて図３のカバー片５ａと同様の形状でありポリ塩化ビニル系樹脂で形成されているカバー片５ａ´が、防水片１ａ´の立上がり部１−２の貫通孔３ａとカバー片５ａ´の突起ｐとが嵌合するようにして接着剤（図示せず）で接着固定されている。防水片１ａ´の立上がり部１−２の端部とカバー片５ａ´の上側端部とは変性シリコーン系シーリング材６´で端部処理されており、カバー片５ａ´の下側端部と防水片１ａ´の水平部１−１の上に重ねられた防水シート４ａの端部とはビニル系シール材７´で端部処理されている。
【００２８】
図４は同じくベランダ出入り口のサッシ下付近の床構造であり、本発明の防水片を用いた改修防水構造である。躯体の水平壁から入隅、立上がり壁にかけて既存防水シート８が敷設固定されている。この既存防水シート８が敷設された躯体を下地Ｇ´とし、下地Ｇ´の水平壁Ｇ´１と該水平壁Ｇ´１から連続して立上がる立上がり壁Ｇ´２とで形成される入隅Ｇ´３に図２の防水片１ｂと同様の形状でポリ塩化ビニル系樹脂で形成されている防水片１ｂ´が接合剤２である変性シリコーン系接着剤２ｂにより接着されており、防水片１ｂ´の水平部１−１が水平壁Ｇ´１に接着され、防水片１ａ´の立上がり部１−２が立上がり壁Ｇ´２に接着されている。
【００２９】
防水片１ｂ´の水平部１−１および立上がり部１−２に重ねて図３のカバー片５ｂと同様の断面Ｌ字形状の板材でありポリ塩化ビニル系樹脂で形成されているカバー片５ｂ´が、防水片１ｂ´の水平部１−１および立上がり部１−２の貫通孔３ａとカバー片５ｂ´の突起ｐとが嵌合するようにして接着剤（図示せず）で接着固定されている。防水片１ｂ´の立上がり部１−２の端部とカバー片５ｂ´の上側端部および既存防水シート８の端部とは変性シリコーン系シーリング材６´で端部処理されている。ベランダ床面である水平壁Ｇ´１には新規ポリ塩化ビニル系防水シート４ｂが敷設され接着剤（図示せず）により固定されており、防水シート４ｂの端縁部が防水片１ｂ´の水平部１−１に重ねられたカバー片５ｂ´の上まで延設され、溶剤による液溶着により接合されている。カバー片５ｂ´の上に重ねられた防水シート４ｂの端部はビニル系シール材７´で端部処理されている。
【００３０】
続いて防水施工方法について説明する。本発明の防水施工方法は水平壁と該水平壁から連続して立上がる立上がり壁とで形成される入隅を有する下地における防水施工方法であり、前述の防水片１を接合剤を介して入隅に接合する接合工程と、防水片１の視認部により少なくとも防水片１の立上がり部と下地の立上がり壁との接合状態を確認する確認工程とを備える施工方法である。
【００３１】
防水施工方法の具体例について図１、図４の防水構造を例として説明する。
図１の防水構造の場合、まず下地Ｇの水平壁Ｇ１と該水平壁Ｇ１から連続して立上がる立上がり壁Ｇ２とで形成される入隅Ｇ３に、全体的に接合剤２であるビニル系接着剤２ａを塗布する。ビニル系接着剤２ａが塗布された入隅Ｇ３に図２の防水片１ａと同様の形状でありポリ塩化ビニル系樹脂で形成されている防水片１ａ´を、防水片１ａ´の水平部１−１が水平壁Ｇ１に、防水片１ａ´の立上がり部１−２が立上がり壁Ｇ２に重ねるようにして圧着し接合する。このとき防水片１ａ´の立上がり部１−２の視認部３である貫通孔３ａよりビニル系接着剤２ａの状態を観察することで、防水片１ａ´の立上がり部１−２と下地Ｇの立上がり壁Ｇ２との接合状態を確認する。立上がり壁Ｇ２に塗布されたビニル系接着剤２ａが貫通孔３ａ内に入り込んでいる状態であれば圧着が十分であり接合状態が良好であることが分かり、反対にビニル系接着剤２ａが貫通孔３ａ内に入り込んでいない状態であると圧着が不十分であり接合状態が不良であることが分かる。貫通孔３ａは防水片１ａ´の立上がり部１−２に複数設けられており、これらすべての貫通孔３ａ内にビニル系接着剤２ａが入り込んでいる状態であれば均一に圧着接合されているということであるため好ましい。貫通孔３ａ内へのビニル系接着剤２ａの入り込みがない部分がある場合にはその周辺の防水片１ａ´を再度下地に圧着するなどして貫通孔３ａ内にビニル系接着剤２ａが入り込むようにする。
【００３２】
防水片１を入隅Ｇ３に接合したのち必要に応じて防水片１の上にカバー材５を敷設固定するが、図１の場合は、防水片１ａ´の立上がり部１−２に接着剤（図示せず）を塗布したのち図３のカバー片５ａと同形状でありポリ塩化ビニル系樹脂で形成されているカバー片５ａ´を防水片１ａ´の立上がり部１−２の貫通孔３ａとカバー片５ａ´の突起ｐとが嵌合するようにして圧着し、接着固定する。そして水平壁Ｇ１の防水片１ａ´が敷設された部分以外に接着剤を塗付し、ポリ塩化ビニル系防水シート４ａを敷設し接着固定する。防水シート４ａの端縁部を防水片１ａ´の水平部１−１の上に重ね、重ね代に溶剤を塗付して防水シート４ａの端縁部と防水片１ａ´の水平部１−１とを溶着する。最後に端部処理として防水片１ａ´の立上がり部１−２の端部とカバー片５ａ´の上側端部に変性シリコーン系シーリング材６´を塗付し、カバー片５ａ´の下側端部と防水片１ａ´の水平部１−１の上に重ねられた防水シート４ａの端部にビニル系シール材７´を塗付する。
【００３３】
図４の防水構造の場合は、既存防水シート８が躯体に敷設された既存防水シート８（下地Ｇ´）の水平壁Ｇ´１と該水平壁Ｇ´１から連続して立上がる立上がり壁Ｇ´２とで形成される入隅Ｇ´３に接合剤２である変性シリコーン系接着剤２ｂを塗付する。図２の防水片１ｂと同形状であり塩化ビニル系樹脂で形成されている防水片１ｂ´を、防水片１ｂ´の水平部１−１が水平壁Ｇ´１に、防水片１ｂ´の立上がり部１−２が立上がり壁Ｇ´２に重ねるようにして圧着し接合する。このとき防水片１ｂ´の水平部１−１および立上がり部１−２に設けられた視認部３である貫通孔３ａより変性シリコーン系接着剤２ｂの状態を観察することで、防水片１ｂ´の水平部１−１および立上がり部１−２と下地Ｇ´の水平壁Ｇ´１および立上がり壁Ｇ´２との接合状態を確認する。水平壁Ｇ´１および立上がり壁Ｇ´２に塗布された変性シリコーン系接着剤２ｂが貫通孔３ａ内に入り込んでいる状態であれば圧着が十分であり接合状態が良好であることが分かり、反対に変性シリコーン系接着剤２ｂが貫通孔３ａ内に入り込んでいない状態であると圧着が不十分であり接合状態が不良であることが分かる。貫通孔３ａは防水片１ｂ´の水平部１−１および立上がり部１−２に複数設けられており、これらすべての貫通孔３ａ内に変性シリコーン系接着剤２ｂが入り込んでいる状態であれば均一に圧着接合されているということであるため好ましい。
【００３４】
続いて防水片１ｂ´の水平部１−１および立上がり部１−２に接着剤（図示せず）を塗布したのち図３のカバー片５ｂと同形状でありポリ塩化ビニル系樹脂で形成されているカバー片５ｂ´を防水片１ｂ´の水平部１−１および立上がり部１−２の貫通孔３ａとカバー片５ｂ´の突起ｐとが嵌合するようにして圧着し、接着固定する。そして既存防水シート８の水平壁Ｇ´１の防水片１ｂ´が敷設された部分以外に接着剤を塗付し、新規ポリ塩化ビニル系防水シート４ｂを敷設し接着固定する。新規ポリ塩化ビニル系防水シート４ｂの端縁部を防水片１ｂ´の水平部１−１に重ね接着されたカバー片５ｂ´の上に重ね、重ね代に溶剤を塗付して防水シート４ｂの端縁部とカバー片５ｂ´とを溶着する。最後に端部処理として防水片１ｂ´の立上がり部１−２の端部とカバー片５ｂ´の上側端部に変性シリコーン系シーリング材６´を塗付し、カバー片５ｂ´の上に重ねられた新規ポリ塩化ビニル系防水シート４ｂの端部にビニル系シール材７´を塗付する。
【産業上の利用可能性】
【００３５】
本発明の防水片およびこれを用いた防水構造、防水施工方法によれば、水平壁と該水平壁から連続して立上がる立上がり壁とで形成される入隅に防水片を取り付ける際に接合状態を目視により確認することができ接合が不十分となることなく十分な防水性能を得ることができるため、立上がり壁の高さが低く作業スペースが狭いベランダのサッシ下などの防水施工又はその改修施工に好適である。
【符号の説明】
【００３６】
１  防水片
１−１  水平部
１−２  立上がり部
２  接合剤
３  視認部
３ａ  貫通孔
３ｂ  透明本体部
３ｃ  粘着材
４  防水シート
５  カバー材
６  シーリング材
７  シール材
８  既存防水シート
Ｇ，Ｇ´  下地
Ｇ１，Ｇ´１  水平壁
Ｇ２，Ｇ´２  立上がり壁
Ｇ３，Ｇ´３  入隅
【図１】
2016223229.tif 000003
【図２】
2016223229.tif 000004
【図３】
2016223229.tif 000005
【図４】
2016223229.tif 000006